(57)【要約】  可動家具部（１２）を動かすための少なくとも１つの駆動部材（５）と、駆動部材（５）の動きを止めるためのロック装置（７）とを備えた駆動装置（１）が開示されており、ロック装置（７）は、駆動装置（１）に配置され、駆動部材（５）を動かすためにキー（９）でロック解除されるロック（７ａ）を含んでおり、駆動部材（５）の動きを解除する。【選択図】図１ａ
2012509420.tif 000002
【特許請求の範囲】
【請求項１】
可動家具部を動かすための少なくとも１つの駆動部材と、該駆動部材の動きを止めるためのロック装置とを備えた駆動装置であって、前記ロック装置（７）は、前記駆動装置（１）に配置され、前記駆動部材（５）を動かすためにキー（９）でロック解除されるロック（７ａ）を含んでいることを特徴とする駆動装置。
【請求項２】
駆動部材（５）に作用し、該駆動部材（５）を開方向に付勢するスプリング装置（３）をさらに備えていることを特徴とする請求項１記載の駆動装置。
【請求項３】
駆動部材（５）は、可動家具部（１２）を動かすための旋回式に取り付けられた少なくとも１つの駆動アーム（５ａ）を備えていることを特徴とする請求項１または２記載の駆動装置。
【請求項４】
可動家具部（１２）は、家具枠体（４）に対して上下に動くことができるフラップ（１２）であることを特徴とする請求項１から３のいずれかに記載の駆動装置。
【請求項５】
空状態であり、可動家具部（１２）が未装着である駆動部材（５）のための取付安全手段をさらに備えており、該取付安全手段は、ロック装置（７）と、ロック（７ａ）と、キー（９）とを含んでいることを特徴とする請求項１から４のいずれかに記載の駆動装置。
【請求項６】
キー（９）は、解放可能な保持装置（１４）によって駆動装置（１）に固定され、該解放可能な保持装置（１４）は、フラップ（１２）が駆動部材（５）に取り付けられた後でのみキー（９）を解放することを特徴とする請求項１から５のいずれかに記載の駆動装置。
【請求項７】
キー（９）は、自身がロック（７ａ）に取り付けられているときにだけロック装置（７）を解除することを特徴とする請求項１から６のいずれかに記載の駆動装置。
【請求項８】
駆動部材（５）は、完全に開いた位置にてロック装置（７）により制動されることを特徴とする請求項１から７のいずれかに記載の駆動装置。
【請求項９】
駆動装置（１）は、動力中継路を有しており、該動力中継路の少なくとも１要素がロック装置（７）によってロックできることを特徴とする請求項１から８のいずれかに記載の駆動装置。
【請求項１０】
ロック装置（７）は、少なくとも１つの拘束要素（７ｃ）を備えており、動力中継路の前記要素（６）を家具に固定されている部分（好適には駆動装置（１）のハウジング（２））に対してロックすることを特徴とする請求項９記載の駆動装置。
【請求項１１】
拘束要素（７ｃ）は、動力中継路の前記要素（６）を制動する位置から、前記拘束要素（７ｃ）が前記動力中継路の前記要素（６）から解除される解除位置にまでキー（９）によって可動にされることを特徴とする請求項１０記載の駆動装置。
【請求項１２】
解放可能な保持装置（１４）は、可動連結部（１４ａ）を含んでおり、該可動連結部（１４ａ）によってキー（９）は、制動され、該可動連結部（１４ａ）は、可動家具部（１２）を駆動部材（５）に取り付けた後にだけ前記キー（９）を解放することを特徴とする請求項６から１１のいずれかに記載の駆動装置。
【請求項１３】
可動家具部（１２）を取り付けるための取付装置（８）は、駆動部材（５）に配置され、解放可能な保持装置（１４）は、取付装置（８）に取り付けられることを特徴とする請求項６から１２のいずれかに記載の駆動装置。
【請求項１４】
取付装置（８）は、保持要素（１５）と、可動家具部（１２）に連関する取付具（１３）とを含み、キー（９）のための解放可能な保持装置（１４）は、前記保持装置（１５）または前記取付具（１３）のいずれかに取り付けられていることを特徴とする請求項１３記載の駆動装置。
【請求項１５】
保持装置（１５）とフラップ側の取付具（１３）は、弾性である支持部（１５ｃ）によって互いに掛け止めできることを特徴とする請求項１４記載の駆動装置。
【請求項１６】
弾性である支持部（１５ｃ）のための固定部（１６）がさらに利用され、キー（９）が解除されると該固定部（１６）によって前記支持部（１５ｃ）は、拘束位置で操作不能に固定されることを特徴とする請求項１５記載の駆動装置。
【請求項１７】
請求項１から１６のいずれかに記載の駆動装置を少なくとも１つ含んでいることを特徴とする家具。
【発明の詳細な説明】
【技術分野】
【０００１】
本発明は、少なくとも１つの駆動部材と、その駆動部材の動作を規制するロック装置とを備えた可動家具部用の駆動装置に関する。
【０００２】
本発明は、以下で説明する本発明の駆動装置を備えた家具にも関する。
【背景技術】
【０００３】
このような駆動装置は、一般的に家具の枠体（本体）に装着され、特に上方可動フラップ（扉）を移動させる目的で利用される。
【先行技術文献】
【特許文献】
【０００４】
【特許文献１】国際公開第２００６／０６９４１２Ａ１号パンフレット
【発明の概要】
【発明が解決しようとする課題】
【０００５】
本発明の一目的は、駆動部材の制御された動作を可能にするような駆動装置を提供することである。
【課題を解決するための手段】
【０００６】
本発明によれば上記の目的は、駆動装置に取り付けられたロック（錠）をロック装置（施錠装置）に装備し、キー（鍵）によってロックを解除し、駆動部材を作動させることで達成される。
【０００７】
本発明の１つの実施態様によれば、特定の人物だけが駆動部材の動作を許される。ロックは、キーにより解除することができ、望めばロック（施錠）することもできる。
【０００８】
もし、駆動装置が前もって家具に装着されており、駆動部材の動作が可動家具部の閉位置において阻止されているなら、キーを家具の外側位置から駆動装置に設置されたロックにアクセスさせる貫通開路を家具に設けることが望ましいであろう。
【０００９】
また、本発明は、直接に接触せずに機能を発揮することができるキーとロックとの開錠／施錠システムを利用することもできる。そのためにキーは、電子データセット及び／又は無接触で作動するＦＲＩＤトランスポンダを含むこともできる。
【００１０】
本発明の別の実施態様では、ロックとキーとを含んだロック装置は、“空状態”である駆動部材のための構造安全手段として利用される。この場合には、可動家具部（特に上下可動家具フラップ）は、駆動部材には未装着である。駆動装置は、家具枠体内の収納部を閉じている垂直位置（姿勢）と、上方に移動した開位置（姿勢）との間にて旋回式に取り付けられた駆動部材（特に駆動アーム）に装着された家具フラップを動作させる。フラップの重量を相殺するように作用するスプリング装置またはガス圧保存手段が利用される。
【００１１】
この場合には、駆動部材に作用するトルクを家具フラップの重量に見合うように選択的に調節することが可能である。従って重い家具フラップの場合には、比較的に大きなトルクが駆動アームへの付勢力として付与される。しかしながら家具フラップが駆動アームに回動式に連結されていない場合には、スプリング装置による付勢力によって駆動アームが上方に急動作して開き、家具の組み立て作業員に怪我を負わせるリスクが存在する。本願出願人が所有する特許文献１は、“空状態”の駆動アーム（家具フラップは未装着）のための装着安全手段を開示している。この手段は、空状態の駆動アームの開放速度を制限する掛止装置及び／又は制動装置を利用している。
【００１２】
スプリング装置は、好適には水平軸周囲で回動する駆動部材に対してその開く方向に作用するので、フラップが未装着である場合には、上方に激しく開く駆動部材による相当な怪我のリスクが存在するが、ロックおよびキーを備えたロック装置によって、駆動部材を完全に開いた位置で拘束（制動）することができる。このロック（施錠）作用のために駆動部材は、スプリング装置の反発力に抗して動作できない。よって、フラップは、完全に開いた位置で拘束されている駆動部材に安全に連結できる。
【００１３】
本発明の一実施態様では、キーは、解放可能な保持装置によって駆動装置に固定される。この解放可能な保持装置は、フラップが駆動部材に装着された後においてのみキーを解放する。言い換えると、キーは、フラップが適正に駆動部材に装着されたときにだけロック作用を解除することができる。さらに、フラップが駆動部材に安全に固定できれば、駆動部材が上方に跳ね上がるリスクも実質的に解消させることができる。フラップが装着された後にのみ解放可能な保持装置は、キーを解放し、ロック装置は、解除され、駆動部材は、閉位置と開位置との間を自在に移動することができる。
【００１４】
本発明のさらなる安全形態によれば、キーがロックにフィットしたときだけキーは、ロック装置を解除することができる。言い換えると駆動部材は、ロックにフィットしたキーでのみ自在に動作できる。キーがロックから取り出されるとロック装置は、自動的に駆動部材の動作を阻止する。
【００１５】
大抵の場合には、駆動装置は、動力中継路を有する。その最も単純な例では、駆動部材と、その駆動部材に作用するスプリング装置とを含んでいる。この場合には、ロック装置は、動力中継路に存在する少なくとも１つの要素をロックする。すなわちスプリング装置及び／又は駆動部材をロックする。動力中継路は、伝達機構（レバー機構及び／又はギヤ構造）を有することも可能である。伝達装置は、スプリング装置と駆動部材との間で作用する。伝達機構の少なくとも１つの要素は、ロック装置によってロックすることが可能である。この点に関してロック装置は、少なくとも１つの拘束要素を有しており、動力中継路の要素を家具に固定されている部分（好適には駆動装置のハウジング）にロックすることができる。この点で、拘束要素が、動力中継路の要素を拘束する位置から、動力中継路の要素から拘束要素が解除される解除位置にまでキーで可動となることが望ましい。
【００１６】
本発明のさらなる詳細と利点とを以下で詳細に解説する。
【図面の簡単な説明】
【００１７】
【図１ａ】図１ａは、駆動装置の駆動部材がロック装置によって完全に開いた位置で拘束されており、上方に可動な家具フラップを移動させるように構成された、家具枠体に取り付けられている駆動装置の側面図である。
【図１ｂ】図１ｂは、図１ａで図示した駆動装置の円内部分の拡大詳細図である。
【図２ａ】図２ａは、家具フラップが駆動部材に既に装着されている状態でロックされた駆動装置の側面図である。
【図２ｂ】図２ｂは、図２ａで図示した駆動装置の円内部分の拡大詳細図である。
【図３ａ】図３ａは、キーによるロックが不能である状態のロック機構を備えた駆動装置の側面図である。
【図３ｂ】図３ｂは、図３ａで図示した駆動装置の円内部分の拡大詳細図である。
【図４ａ】図４ａは家具フラップに連結するために利用される取付装置の斜視図である。
【図４ｂ】図４ｂは、図４ａで図示した取付装置の分解図である。
【図４ｃ】図４ｃは、図４ａで図示した取付装置の側面図である。
【図５ａ】図５ａは、キーによる解除を説明する取付装置の経時的垂直断面図である。
【図５ｂ】図５ｂは、図５ａに続く取付装置の経時的垂直断面図である。
【図５ｃ】図５ｃは、図５ｂに続く取付装置の経時的垂直断面図である。
【図６ａ】図６ａは、駆動装置に設置され、駆動装置の動力中継路の要素を拘束位置で拘束し、解放位置で解放するために利用されるロック装置の分解図である。
【図６ｂ】図６ｂは、図６ａで図示したロック装置の組み立て状態を示す斜視図である。
【図６ｃ】図６ｃは、キーが挿入された状態にある図６ｂで図示したロック装置の断面図である。
【図６ｄ】図６ｄは、キーが抜かれた状態にある図６ｂで図示したロック装置の断面図である。
【発明を実施するための形態】
【００１８】
【実施例１】
【００１９】
図１ａは、本発明による駆動装置１の側面図であり、駆動装置１は、家具枠体４の側壁４ａに既に取り付けられているハウジング２を有している。駆動装置１は、従来のようにスプリング装置３を含んでいる。このスプリング装置３の一方側は、家具に対して固定されているハウジング２の固定部３ａで支持されており、他方側は、回転軸Ｒの周囲で旋回する駆動アーム５ａの形態である駆動部材５に駆動アーム５ａの開く方向で作用する。スプリング装置３と駆動アーム５ａとの間には、回転軸Ｓの周囲で旋回するように取り付けられた仲介レバー６の形態の伝達機構が配置されている。図示の例では、仲介レバー６をロックし、それが回転軸Ｓの周囲を旋回しないようにしているロック装置７も含まれている。駆動アーム５ａの形態である駆動部材５は、動力中継路の要素（本例では仲介レバー６）をロックすることで完全に開いた位置にて拘束される。従ってロック装置７は、家具フラップが取り付けられていない“空状態”の駆動アーム５ａのための取付安全手段の一部である。完全に開いた位置で駆動アーム５ａをロックすると、駆動アーム５ａは、閉位置への方向に付勢できなくなる。このため、家具フラップは、拘束されて安定状態に保たれている駆動アーム５ａに対して問題なく連結できる。また駆動アーム５ａは、閉位置の方向に付勢されることもないので、完全に開いた位置に到達する前の中間位置から駆動アーム５ａが制御不能に脱出し、スプリング装置３の非常に強力なスプリング力のために完全に開いた位置にまで急動作して作業員に怪我を負わせるリスクが回避できる。駆動アーム５ａの形態である駆動部材５は、ヒンジ（蝶番）（図示せず）側で取付具に解放可能に連結させる取付装置８を有している。これで家具フラップを駆動アーム５ａに連結することができる。
【００２０】
キー９は、取付装置８に解放可能な保持装置によって固定されている。フラップが連結されていなければロック装置７を解除するのに必要なキー９は外せない。キー９は、フラップが取付装置８に適正に取り付けられているときにだけ取付装置８から解放される。すなわちフラップが駆動アーム５ａに取り付けられた後にだけキー９は、解放されてロック装置７にアクセスし、ロック作用を解除して駆動アーム５ａを閉位置と開位置との間で旋回可能にする。
【００２１】
図１ｂは、図１ａの円内部分の拡大図である。旋回式仲介レバー６は、スプリング装置３から作用力を受ける。スプリング装置３は、スプリング取付部１０にて仲介レバー６を付勢する。スプリング取付部１０の位置は、調節装置１１によって仲介レバー６に対して調節できる。このようにスプリング装置３の付勢力は、取り付けられていないフラップの重量を考慮して調節できる。ロック装置７は、ロック７ａを含む。フラップが連結された後にロック７ａには、キー９が差し込まれる（図面に対して直角方法）。その挿入によりロック装置７の拘束要素７ｃは、仲介レバー６から解放される。拘束要素７が仲介レバー６から解放されると駆動アーム５は、再び妨害を受けずに可動状態となる。
【００２２】
図２ａは、図１ａの別の状態を図示するものである。
【００２３】
可変長である駆動アーム５ａの取付装置８は、家具フラップ１２に連関する取付具１３に適正に連結されている。取付装置８と家具フラップ側の取付具１３との間で適正な連結が行われる図示のようにキー９は解放される。仲介レバー６は、拘束状態であるが、ロック装置７は、解放されたキー９によって仲介レバー６から解除可能である。
【００２４】
図示の実施例では、フラップ１２は、２つの部分１２ａと１２ｂを有した２部分で成るフラップ１２の形態である。上方フラップ部１２ａは、家具枠体４に対して回動式に取り付けられており、下方フラップ部１２ｂは、上方フラップ部１２ａに対して回動式に連結接続具（図示せず）によって取り付けられている。閉位置において２つのフラップ部１２ａと１２ｂは、直立姿勢となり、家具枠体４の収納部を完全に閉じる。
【００２５】
図２ｂは、図２ａの円部分の拡大図である。ロック装置７は、ブロック位置にあり、拘束要素７ｃは、仲介レバー６に連関した拘束要素６ａに掛け止められている。
【００２６】
図３ａと図３ｂは、解除されたロック装置７を図示する。図２ａで解放されたキー９は、ロック装置７のロック７ａに差し込まれていた。図３ｂで示すようにロック装置７のロック７ａに差し込まれたキー９のおかげで拘束要素７ｃは、回動しており、仲介レバー６の拘束部６ａから解放されている。仲介レバー６は、回転軸Ｓ周囲を旋回でき、駆動アーム５ａの旋回も再び可能である。
【００２７】
図４ａは、図２ａと図３ａで図示するごとくフラップ側で解放可能に取付具１３に連結されるように利用される取付装置８の斜視図である。キー９は、フラップが取り付けられた後にだけ取付装置８から解放される。
【００２８】
図４ｂは、取付装置８の分解図であり、キー９の保持装置１４を有している。保持装置１４は、キー９が保持装置１４に対して拘束されるようにロック位置でキー９の対応する掛止要素９ａに掛け止めされる掛止要素１４ｂを有した可動連結部１４ａを含んでいる。保持要素１５は、取付装置８に連関し、連結部１４ａに作用するように提供されている移動可能に取り付けられた駆動要素１５ａを有している。可動なピン形状の駆動要素１５ａは、フラップ１２の取り付けにより矢印Ｙの方向に付勢され、連結部１４ａは、軸１４ｃ周囲を回動し、キー９の掛止要素９ａは、解除される。保持要素１５は、自身が弾性材であるか、スプリングにより作用を受け、フラップ側で取付具１３に掛け止めされる支持部１５ｃを含む。回動式固定部１６は、キー９が引き抜かれたときに支持部１５ｃを拘束する。このように取付具１３がフラップ側であるときキー９が拘束位置から引き抜かれても支持部１５ｃを解放することは不可能である。
【００２９】
図４ｃは、固定された安全キー９を備えた取付装置８の側面図である。本発明の変形例では、キー９は、解放可能な保持装置１４によってフラップ側の取付具１３に固定される。
【００３０】
図６ａは、キー９によって解除でき、駆動装置１のハウジング２に設置できるロック装置７を図示する。ロック装置７は、ハウジング部分１７ａと１７ｂを含んでおり、ロック７ａは、ハウジング部分１７ａと１７ｂとの間に残る中間スペースによって形成される。拘束要素７ｃは、軸Ｍ周囲で回動するダブルアーム式レバーの形態である。拘束要素７ｃは、拘束要素７ｃを仲介レバーで拘束位置に保持するスプリング（図示せず）から付勢力を受ける（図１ｂ）。キー９がロック７ａに押し込まれるとキー９の掛止要素９ａは、拘束要素７ｃのレバーアームを付勢し（図６ｃ）、拘束要素７ｃは、軸Ｍ周囲を回動して仲介レバー６を解放する。
【００３１】
図６ｂは、組み立てられたロック装置７を図示する。
【００３２】
図６ｃは、挿入されたキー９を有したロック装置７の垂直断面図であり、その掛止要素９ａは、拘束要素７ｃのレバーアームを付勢する。ロック作用は、その位置で解除され、駆動アーム５ａは、移動可能になる。図６ｄは、キー９が取り出された状態の垂直断面図である。
【００３３】
図６ｄは、空状態のロック７ａを図示しており、拘束要素７ｃは、拘束位置の方向に自動的にスプリングによって付勢され、取り付けられた状態で駆動装置１の動力中継路の要素を制止する。
【００３４】
本発明は、以上に解説した実施例に限定されず、「請求の範囲」において定義されているもの全てを含む。本明細書中で位置や姿勢を表す上下、左右等の表現は、説明の便宜上使用されているに過ぎない。
【図１ａ】
2012509420.tif 000003
【図１ｂ】
2012509420.tif 000004
【図２ａ】
2012509420.tif 000005
【図２ｂ】
2012509420.tif 000006
【図３ａ】
2012509420.tif 000007
【図３ｂ】
2012509420.tif 000008
【図４ａ】
2012509420.tif 000009
【図４ｂ】
2012509420.tif 000010
【図４ｃ】
2012509420.tif 000011
【図５ａ】
2012509420.tif 000012
【図５ｂ】
2012509420.tif 000013
【図５ｃ】
2012509420.tif 000014
【図６ａ】
2012509420.tif 000015
【図６ｂ】
2012509420.tif 000016
【図６ｃ】
2012509420.tif 000017
【図６ｄ】
2012509420.tif 000018
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
可動家具部（１２）を動かすための少なくとも１つの旋回式に取り付けられている駆動部材（５）と、該駆動部材（５）の動きを止めるためのロック装置（７）とを備え、
前記駆動部材（５）に対して開方向に付勢するスプリング装置（３）をさらに備えている駆動装置（１）であって、
前記ロック装置（７）は、前記駆動装置（１）に配置され、
前記駆動部材（５）を動かすためにキー（９）でロック解除されるロック（７ａ）を含んでいることを特徴とする駆動装置。
【請求項２】
駆動部材（５）は、可動家具部（１２）を動かすための旋回式に取り付けられた少なくとも１つの駆動アーム（５ａ）を備えていることを特徴とする請求項１記載の駆動装置。
【請求項３】
可動家具部（１２）は、家具枠体（４）に対して上下に動くことができるフラップ（１２）であることを特徴とする請求項１または２記載の駆動装置。
【請求項４】
空状態であり、可動家具部（１２）が未装着である駆動部材（５）のための取付安全手段をさらに備えており、
該取付安全手段は、ロック装置（７）と、ロック（７ａ）と、キー（９）とを含んでいることを特徴とする請求項１から３のいずれかに記載の駆動装置。
【請求項５】
キー（９）は、解放可能な保持装置（１４）によって駆動装置（１）に固定され、
該解放可能な保持装置（１４）は、フラップ（１２）が駆動部材（５）に取り付けられた後でのみ、キー（９）を解放することを特徴とする請求項１から４のいずれかに記載の駆動装置。
【請求項６】
キー（９）は、自身がロック（７ａ）に取り付けられているときにだけロック装置（７）を解除することを特徴とする請求項１から５のいずれかに記載の駆動装置。
【請求項７】
駆動部材（５）は、完全に開いた位置にてロック装置（７）により制動されることを特徴とする請求項１から６のいずれかに記載の駆動装置。
【請求項８】
駆動装置（１）は、動力中継路を有しており、該動力中継路の少なくとも１要素がロック装置（７）によってロックできることを特徴とする請求項１から７のいずれかに記載の駆動装置。
【請求項９】
ロック装置（７）は、少なくとも１つの拘束要素（７ｃ）を備えており、
動力中継路の前記要素（６）を家具に固定されている部分（好適には駆動装置（１）のハウジング（２））に対してロックすることを特徴とする請求項８記載の駆動装置。
【請求項１０】
拘束要素（７ｃ）は、動力中継路の前記要素（６）を制動する位置から、前記拘束要素（７ｃ）が前記動力中継路の前記要素（６）から解除される解除位置にまでキー（９）によって可動にされることを特徴とする請求項９記載の駆動装置。
【請求項１１】
解放可能な保持装置（１４）は、可動連結部（１４ａ）を含んでおり、
該可動連結部（１４ａ）によってキー（９）は、制動され、
該可動連結部（１４ａ）は、可動家具部（１２）を駆動部材（５）に取り付けた後にだけ、前記キー（９）を解放することを特徴とする請求項５から１０のいずれかに記載の駆動装置。
【請求項１２】
可動家具部（１２）を取り付けるための取付装置（８）は、駆動部材（５）に配置され、
解放可能な保持装置（１４）は、取付装置（８）に取り付けられることを特徴とする請求項５から１１のいずれかに記載の駆動装置。
【請求項１３】
取付装置（８）は、保持要素（１５）と、可動家具部（１２）に連関する取付具（１３）とを含み、
キー（９）のための解放可能な保持装置（１４）は、前記保持装置（１５）または前記取付具（１３）のいずれかに取り付けられていることを特徴とする請求項１２記載の駆動装置。
【請求項１４】
保持装置（１５）とフラップ側の取付具（１３）は、弾性である支持部（１５ｃ）によって互いに掛け止めできることを特徴とする請求項１３記載の駆動装置。
【請求項１５】
弾性である支持部（１５ｃ）のための固定部（１６）がさらに利用され、
キー（９）が解除されると該固定部（１６）によって前記支持部（１５ｃ）は、拘束位置で操作不能に固定されることを特徴とする請求項１４記載の駆動装置。
【請求項１６】
請求項１から１５のいずれかに記載の駆動装置を少なくとも１つ含んでいることを特徴とする家具。
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
可動家具部（１２）を動かすための少なくとも１つの旋回式に取り付けられている駆動部材（５）と、該駆動部材（５）の動きを止めるためのロック装置（７）とを備え、
前記駆動部材（５）に対して開方向に付勢するスプリング装置（３）をさらに備えている駆動装置（１）であって、
前記ロック装置（７）は、前記駆動装置（１）に配置され、
前記駆動部材（５）を動かすためにキー（９）でロック解除されるロック（７ａ）を含んでいることを特徴とする駆動装置。
【請求項２】
駆動部材（５）は、可動家具部（１２）を動かすための旋回式に取り付けられた少なくとも１つの駆動アーム（５ａ）を備えていることを特徴とする請求項１記載の駆動装置。
【請求項３】
可動家具部（１２）は、家具枠体（４）に対して上下に動くことができるフラップ（１２）であることを特徴とする請求項１または２記載の駆動装置。
【請求項４】
空状態であり、可動家具部（１２）が未装着である駆動部材（５）のための取付安全手段をさらに備えており、
該取付安全手段は、ロック装置（７）と、ロック（７ａ）と、キー（９）とを含んでいることを特徴とする請求項１から３のいずれかに記載の駆動装置。
【請求項５】
キー（９）は、解放可能な保持装置（１４）によって駆動装置（１）に固定され、
該解放可能な保持装置（１４）は、フラップ（１２）が駆動部材（５）に取り付けられた後でのみ、キー（９）を解放することを特徴とする請求項１から４のいずれかに記載の駆動装置。
【請求項６】
キー（９）は、自身がロック（７ａ）に取り付けられているときにだけロック装置（７）を解除することを特徴とする請求項１から５のいずれかに記載の駆動装置。
【請求項７】
駆動部材（５）は、完全に開いた位置にてロック装置（７）により制動されることを特
徴とする請求項１から６のいずれかに記載の駆動装置。
【請求項８】
駆動装置（１）は、動力中継路を有しており、該動力中継路の少なくとも１要素がロック装置（７）によってロックできることを特徴とする請求項１から７のいずれかに記載の駆動装置。
【請求項９】
ロック装置（７）は、少なくとも１つの拘束要素（７ｃ）を備えており、
動力中継路の前記要素（６）を家具に固定されている部分（好適には駆動装置（１）のハウジング（２））に対してロックすることを特徴とする請求項８記載の駆動装置。
【請求項１０】
拘束要素（７ｃ）は、動力中継路の前記要素（６）を制動する位置から、前記拘束要素（７ｃ）が前記動力中継路の前記要素（６）から解除される解除位置にまでキー（９）によって可動にされることを特徴とする請求項９記載の駆動装置。
【請求項１１】
解放可能な保持装置（１４）は、可動連結部（１４ａ）を含んでおり、
該可動連結部（１４ａ）によってキー（９）は、制動され、
該可動連結部（１４ａ）は、可動家具部（１２）を駆動部材（５）に取り付けた後にだけ、前記キー（９）を解放することを特徴とする請求項５から１０のいずれかに記載の駆動装置。
【請求項１２】
可動家具部（１２）を取り付けるための取付装置（８）は、駆動部材（５）に配置され、
解放可能な保持装置（１４）は、取付装置（８）に取り付けられることを特徴とする請求項５から１１のいずれかに記載の駆動装置。
【請求項１３】
取付装置（８）は、保持要素（１５）と、可動家具部（１２）に連関する取付具（１３）とを含み、
キー（９）のための解放可能な保持装置（１４）は、前記保持装置（１５）または前記取付具（１３）のいずれかに取り付けられていることを特徴とする請求項１２記載の駆動装置。
【請求項１４】
保持装置（１５）とフラップ側の取付具（１３）は、弾性である支持部（１５ｃ）によって互いに掛け止めできることを特徴とする請求項１３記載の駆動装置。
【請求項１５】
弾性である支持部（１５ｃ）のための固定部（１６）がさらに利用され、
キー（９）が解除されると該固定部（１６）によって前記支持部（１５ｃ）は、拘束位置で操作不能に固定されることを特徴とする請求項１４記載の駆動装置。
【請求項１６】
請求項１から１５のいずれかに記載の駆動装置を少なくとも１つ含んでいることを特徴とする家具。
【国際調査報告】
2012509420.tif 000019
2012509420.tif 000020
2012509420.tif 000021
2012509420.tif 000022